(57)【要約】      （修正有）【課題】熱交換器から流れた水が氷結するのを抑え、排水性能を向上させる。【解決手段】室外機は、ケーシングの底面を形成する底板（２２）と、底板（２２）を下方から支える据付脚（３０）とを備えている。据付脚（３０）には、上下方向に貫通する水抜き孔（３５ａ）が形成されている。据付脚（３０）における熱交換器（１０）の載置面は、底板（２２）の上面と略面一であり、熱交換器（１０）は、底板（２２）と据付脚（３０）とに跨がって載置されている。【選択図】図４
2019132543.tif 000002
【特許請求の範囲】
【請求項１】
ケーシング（20）内に熱交換器（10）が設けられる空気調和装置の室外機であって、
前記ケーシング（20）の底面を形成する底板（22）と、
前記底板（22）を下方から支える据付脚（30）とを備え、
前記据付脚（30）には、前記熱交換器（10）の一部が載置されていることを特徴とする空気調和装置の室外機。
【請求項２】
請求項１において、
前記据付脚（30）には、上下方向に貫通する孔（35a）が形成されていることを特徴とする空気調和装置の室外機。
【請求項３】
請求項１又は２において、
前記据付脚（30）における前記熱交換器（10）の載置面は、前記底板（22）の上面と略面一であり、
前記底板（22）の端縁と前記据付脚（30）の載置面の端縁との間には、所定の隙間（C）が設けられており、
前記熱交換器（10）は、前記底板（22）と前記据付脚（30）とに跨がって載置されていることを特徴とする空気調和装置の室外機。
【請求項４】
請求項１乃至３のうち何れか１つにおいて、
前記底板（22）は、前後方向又は左右方向にわたる山部（22a）と谷部（22b）とが形成された波板状の部材で構成され、
前記据付脚（30）は、前記底板（22）の前記山部（22a）及び前記谷部（22b）が見える側の端部を下方から支える支持部（33）と、該底板（22）の端部の外側に位置して該支持部（33）から上方に延びる壁部（34）と、該壁部（34）の上端から外側に延びて前記熱交換器（10）が載置される載置部（35）とを有することを特徴とする空気調和装置の室外機。
【発明の詳細な説明】
【技術分野】
【０００１】
本開示は、空気調和装置の室外機に関するものである。
【背景技術】
【０００２】
従来より、空気調和装置の室外機において、熱交換器から底フレームに流れた水を、据付脚の支持部の上方に形成された排水路を通って排水するようにした構成が知られている（例えば、特許文献１参照）。
【先行技術文献】
【特許文献】
【０００３】
【特許文献１】特開２０１７−１９４２２９号公報
【発明の概要】
【発明が解決しようとする課題】
【０００４】
ところで、外気温が氷点下の場合に、熱交換器から流れた水が金属製の据付脚に長時間接触していると、水が氷結して排水路の一部を塞いでしまい、排水性が悪化するおそれがある。
【０００５】
本開示の目的は、熱交換器から流れた水が氷結するのを抑え、排水性能を向上させることにある。
【課題を解決するための手段】
【０００６】
本開示の第１の態様は、ケーシング（20）内に熱交換器（10）が設けられる空気調和装置の室外機を対象とする。そして、前記ケーシング（20）の底面を形成する底板（22）と、前記底板（22）を下方から支える据付脚（30）とを備え、前記据付脚（30）には、前記熱交換器（10）の一部が載置されているものである。
【０００７】
第１の態様では、底板（22）の下方を支える据付脚（30）に、熱交換器（10）の一部が載置されている。これにより、熱交換器（10）の熱が据付脚（30）に伝わって据付脚（30）が温められるので、熱交換器（10）から据付脚（30）に流れた水が氷結するのを抑えることができる。
【０００８】
本開示の第２の態様は、第１の態様において、前記据付脚（30）には、上下方向に貫通する孔（35a）が形成されているものである。
【０００９】
第２の態様では、据付脚（30）に孔（35a）が形成されているので、熱交換器（10）から据付脚（30）に流れた水が、孔（35a）から排水される。
【００１０】
本開示の第３の態様は、第１又は第２の態様において、前記据付脚（30）における前記熱交換器（10）の載置面は、前記底板（22）の上面と略面一であり、前記底板（22）の端縁と前記据付脚（30）の載置面の端縁との間には、所定の隙間（C）が設けられており、前記熱交換器（10）は、前記底板（22）と前記据付脚（30）とに跨がって載置されているものである。
【００１１】
第３の態様では、据付脚（30）の熱交換器（10）の載置面と底板（22）の上面とが略面一となっている。そして、底板（22）と据付脚（30）とに跨がって熱交換器（10）が載置されている。また、底板（22）の端縁と据付脚（30）の載置面の端縁との間に隙間（C）が設けられているので、熱交換器（10）から流れた水が、この隙間（C）から排水される。
【００１２】
本開示の第４の態様は、第１乃至第３の態様のうち何れか１つにおいて、前記底板（22）は、前後方向又は左右方向にわたる山部（22a）と谷部（22b）とが形成された波板状の部材で構成され、前記据付脚（30）は、前記底板（22）の前記山部（22a）及び前記谷部（22b）が見える側の端部を下方から支える支持部（33）と、該底板（22）の端部の外側に位置して該支持部（33）から上方に延びる壁部（34）と、該壁部（34）の上端から外側に延びて前記熱交換器（10）が載置される載置部（35）とを有するものである。
【００１３】
第４の態様では、据付脚（30）は、支持部（33）と、壁部（34）と、載置部（35）とを有する。支持部（33）は、底板（22）の山部（22a）及び谷部（22b）が見える側の端部を下方から支えている。壁部（34）は、底板（22）の端部の外側に位置している。熱交換器（10）から流れる水が、壁部（34）、支持部（33）、底板（22）の山部（22a）によって区画される排水路から排水される。
【図面の簡単な説明】
【００１４】
【図１】図１は、実施形態の室外機を背面側から見た斜視図である。
【図２】図２は、ベース部材の構成を示す平面図である。
【図３】図３は、底板及び据付脚の構成を示す斜視図である。
【図４】図４は、図２のIV-IV矢視断面図である。
【発明を実施するための形態】
【００１５】
実施形態について説明する。
【００１６】
この実施形態は、空気調和装置の室外機（1）に関するものである。この空気調和装置は、例えば１台の室外機（1）に複数台の室内機（図示せず）が連絡配管で接続されて構成されるマルチタイプの空気調和装置である。この空気調和装置の室外機（1）は、例えば、複数台が屋外に並べて設置され、それぞれに複数台の室内機が接続される。
【００１７】
本実施形態の室外機（1）が設けられる空気調和装置は、例えばオフィス等の室内空間の冷房と暖房を行う。なお、空気調和装置が空気調和を行う対象空間は、オフィスや住宅などの居室内空間に限られず、物品を保管する倉庫内の空間や、物品を取り扱う作業用空間（例えば、クリーンルーム）などであってもよい。
【００１８】
〈室外機の全体構造〉
室外機（1）の構成について説明する。なお、以下の説明において、「上」、「下」、「左」、「右」、「前」及び「後」、は、特にことわりのない限り、図１に記載された方向を意味する。
【００１９】
図１に示すように、室外機（1）は、正面側から見て右側に位置する第１ユニット（1A）と左側に位置する第２ユニット（1B）とを備え、第１ユニット（1A）と第２ユニット（1B）が一体的に構成されている。
【００２０】
室外機（1）は、縦型直方体のケーシング（20）を備え、このケーシング（20）の内部に冷媒回路の構成部品が収容されている。ケーシング（20）は、ベース部材（21）と、支柱（23）と、ファンモジュール（25）とを備え、これらが組み合わされて構成されている。
【００２１】
ベース部材（21）は、ケーシング（20）の底部を形成している。ベース部材（21）は、長方形状の底板（22）と、底板（22）の前縁部及び後縁部に固定されて底板（22）を下方から支える長尺の据付脚（30）と、底板（22）の左右の側縁部に固定されたサイドステー（40）とを有する。ベース部材（21）の四隅には、４本の支柱（23）が上下方向に延びている。なお、ベース部材（21）の詳細については後述する。
【００２２】
ファンモジュール（25）は、ケーシング（20）の上部を形成している。ファンモジュール（25）は、支柱（23）の上側に位置している。ファンモジュール（25）は、上面、下面及び前面が開口した略直方体形状の箱体に左右一対のファン（26）やベルマウス（27）が収容された集合体である。ファンモジュール（25）は、上面の開口に吹出グリル（28）を備えている。
【００２３】
ファンモジュール（25）には、空気を上向きに吹き出すように、回転の中心軸が上下方向に延びるファン（26）が収容されている。図示していないが、ファン（26）の下方にはファンモータが設けられている。ファン（26）を回転させると、ケーシング（20）の外部から熱交換器（10）を通って空気がケーシング（20）内に吸い込まれ、吸い込まれた空気がファン（26）によってファンモジュール（25）から上向きに吹き出される。
【００２４】
ケーシング（20）の前面は、図示しない前面パネルによって覆われている。前面パネルは、据付脚（30）からファンモジュール（25）の上端にわたって設けられている。
【００２５】
図２に示すように、室外機（1）には、圧縮機（3）、熱交換器（10）、室外膨張弁（図示せず）、アキュムレータ（4）、オイルセパレータ（5）などの冷媒回路の構成機器と、冷媒回路を制御するための電子部品が収容された制御機器（電装品ボックス（6））などの部品が設けられている。なお、室内機には、室内膨張弁、室内熱交換器などの機器が設けられる。
【００２６】
熱交換器（10）は、ケーシング（20）に設けられている。熱交換器（10）は、第１ユニット（1A）に設けられる第１熱交換器（10a）と、第２ユニット（1B）に設けられる第２熱交換器（10b）とを含んでいる。各熱交換器（10）は、板状の３面の熱交換部（11）と、各熱交換部（11）の間の折り曲げ部（12）とを有し、平面視がＵ字状に形成されている。
【００２７】
熱交換器（10）は、詳細は省略するが、互いに平行に配置されて水平方向にのびる複数の扁平管の端部がヘッダ集合管に接続された熱交換器であり、扁平管には多数のフィンが小さなピッチで取り付けられている。各熱交換器（10）は、扁平管が２列に配列された複数列型の熱交換器である。
【００２８】
〈ベース部材〉
ベース部材（21）は、底板（22）と、据付脚（30）と、サイドステー（40）とを有する。底板（22）は、室外機（1）の左右方向に山部（22a）と谷部（22b）とが交互に形成された波板状の部材で形成されている。
【００２９】
図３及び図４に示すように、谷部（22b）は、底板（22）のうち最も下方の略平坦な面をなす部分である。谷部（22b）における熱交換器（10）寄りの位置には、水抜き孔（22c）が形成されている。これにより、熱交換器（10）から流れた水が最も溜まりやすい谷部（22b）から、水抜き孔（22c）を介して水を排水できるようにしている。
【００３０】
山部（22a）は、谷部（22b）から上方に突出した部分であり、谷部（22b）から上方に向かう傾斜面をなす部分と、傾斜面をなす部分に連続して谷部（22b）よりも上方に位置する略平坦な面をなす部分とを含む。
【００３１】
据付脚（30）は、設置面に固定される固定部（31）と、固定部（31）の前後方向の一方側の端部から上方に延びる立設部（32）と、底板（22）の山部（22a）及び谷部（22b）が見える側（ここでは、前後方向）の端部を下方から支える支持部（33）と、底板（22）の前端部及び後端部の外側に位置して支持部（33）から上方に延びる壁部（34）と、壁部（34）の上端から外側に延びて熱交換器（10）が載置される載置部（35）と、載置部（35）の外側の端縁から上方に延びる端縁部（36）とを有する。
【００３２】
支持部（33）には、底板（22）の谷部（22b）が載置されている。支持部（33）に載置された底板（22）の端縁と据付脚（30）の載置部（35）の内側の端縁との間には、所定の隙間（C）が設けられている。この隙間（C）により、底板（22）の山部（22a）に付着した水を支持部（33）へ流すための排水路が形成される。
【００３３】
ここで、支持部（33）は、底板（22）の谷部（22b）に接して据付脚（30）を下方から支えているが、底板（22）の山部（22a）との間には空間が形成されている。そして、この空間が隙間（C）と連通しているため、隙間（C）が排水路として機能するようになっている。
【００３４】
そして、隙間（C）を通じて支持部（33）まで導かれた水は、底板（22）の山部（22a）と支持部（33）との空間を通じて底板（22）の下方に流れ落ちるため、ケーシング（20）の外側に流出し難くなっている。
【００３５】
据付脚（30）の載置部（35）には、上下方向に貫通する水抜き孔（35a）が、左右方向に間隔をあけて複数形成されている。据付脚（30）の載置部（35）の上面は、支持部（33）に載置された底板（22）の山部（22a）の上面と略面一になっている。そして、底板（22）の山部（22a）と据付脚（30）の載置部（35）とに跨がって、弾性部材（37）が配置されている。
【００３６】
弾性部材（37）は、例えば、ゴム材で形成されており、平面視で底板（22）の谷部（22b）に対応する部分が切り欠かれた形状となっている。弾性部材（37）における載置部（35）に対応する位置には、貫通孔（38）が形成されている。
【００３７】
熱交換器（10）は、弾性部材（37）を介して、底板（22）の山部（22a）と据付脚（30）の載置部（35）とに跨がって載置されている。
【００３８】
ところで、室外機（1）では、暖房運転中に熱交換器（10）に霜が付着する。付着した霜を溶かすために除霜運転を行うと、霜が溶けてできた水が熱交換器（10）から流れ落ちる。ここで、熱交換器（10）は、据付脚（30）の載置部（35）に載置されているので、熱交換器（10）の熱が据付脚（30）に伝わって据付脚（30）が温められることとなる。これにより、熱交換器（10）から据付脚（30）に流れた水が氷結するのを抑えることができる。
【００３９】
また、図３及び図４において、仮想矢印線によって水の流れを示しているが、熱交換器（10）から流れた水は、据付脚（30）の載置部（35）に形成されている水抜き孔（35a）と、底板（22）の谷部（22b）に形成されている水抜き孔（22c）と、隙間（C）に連通するとともに据付脚（30）の壁部（34）、支持部（33）、及び底板（22）の山部（22a）によって区画される排水路とから、ケーシング（20）外部に排水される。
【００４０】
サイドステー（40）は、一対の据付脚（30）の左右方向の両端部に架け渡されて配置されている。サイドステー（40）は、ケーシング（20）の底面を構成して熱交換器（10）が載置される載置部（41）と、載置部（41）の外側の縁に沿って上方に延びる外壁部（42）とを有する。サイドステー（40）の前後方向の両端部は、支柱（23）に連結されている。
【００４１】
図２に示すように、右側のサイドステー（40）の載置部（41）には、弾性部材（43）を介して、第１熱交換器（10a）の右側の熱交換部（11）が載置されている。右側のサイドステー（40）の載置部（41）には、前後方向に延びる長孔状の水抜き孔（45）が前後方向に複数並んで形成されている。
【００４２】
左側のサイドステー（40）の載置部（41）には、第２熱交換器（10b）の左側の熱交換部（11）が載置されている。左側のサイドステー（40）の載置部（41）には、前後方向に延びる長孔状の水抜き孔（45）が前後方向に複数並んで形成されている。
【００４３】
これにより、熱交換器（10）から流れた水は、サイドステー（40）の載置部（41）に形成された水抜き孔（45）から排水される。
【００４４】
−実施形態の効果−
本実施形態の空気調和装置の室外機（1）は、ケーシング（20）内に熱交換器（10）が設けられている。そして、ケーシング（20）の底面を形成する底板（22）と、底板（22）を下方から支える据付脚（30）とを備え、据付脚（30）には、熱交換器（10）の一部が載置されている。
【００４５】
本実施形態では、底板（22）の下方を支える据付脚（30）に、熱交換器（10）の一部が載置されている。これにより、熱交換器（10）の熱が据付脚（30）に伝わって据付脚（30）が温められるので、熱交換器（10）から据付脚（30）に流れた水が氷結するのを抑えることができ、水の排水性が向上する。
【００４６】
また、本実施形態の空気調和装置の室外機（1）において、据付脚（30）には、上下方向に貫通する水抜き孔（35a）が形成されている。
【００４７】
本実施形態では、据付脚（30）に水抜き孔（35a）が形成されているので、熱交換器（10）から据付脚（30）に流れた水を、水抜き孔（35a）から排水することができる。
【００４８】
また、本実施形態の空気調和装置の室外機（1）において、据付脚（30）における熱交換器（10）の載置面は、底板（22）の上面と略面一であり、底板（22）の端縁と据付脚（30）の載置面の端縁との間には、所定の隙間（C）が設けられており、熱交換器（10）は、底板（22）と据付脚（30）とに跨がって載置されている。
【００４９】
本実施形態では、据付脚（30）の熱交換器（10）の載置面と底板（22）の上面とが略面一となっている。そして、底板（22）と据付脚（30）とに跨がって熱交換器（10）が載置されている。また、底板（22）の端縁と据付脚（30）の載置面の端縁との間に隙間が設けられているので、熱交換器（10）から流れた水を、この隙間から排水することができる。
【００５０】
また、本実施形態の空気調和装置の室外機（1）において、底板（22）は、左右方向にわたる山部（22a）と谷部（22b）とが形成された波板状の部材で構成され、据付脚（30）は、底板（22）の山部（22a）及び谷部（22b）が見える側の端部を下方から支える支持部（33）と、底板（22）の端部の外側に位置して支持部（33）から上方に延びる壁部（34）と、壁部（34）の上端から外側に延びて熱交換器（10）が載置される載置部（35）とを有する。
【００５１】
本実施形態では、据付脚（30）は、支持部（33）と、壁部（34）と、載置部（35）とを有する。支持部（33）は、底板（22）の山部（22a）及び谷部（22b）が見える側の端部を下方から支えている。壁部（34）は、底板（22）の端部の外側に位置している。これにより、載置部（35）に載置された熱交換器（10）から流れる水を、壁部（34）、支持部（33）、底板（22）の山部（22a）によって区画される排水路から排水することができる。
【００５２】
《その他の実施形態》
前記実施形態については、以下のような構成としてもよい。
【００５３】
−変形例−
前記実施形態では、左右に配置された第１ユニット（1A）と第２ユニット（1B）とが一体になった室外機（1）について説明したが、本開示の室外機（1）は１つのユニットのみからなるものであってもよい。つまり、前記実施形態では、室外機（1）を２つの熱交換器（10a，10b）が設けられた構成としているが、室外機（1）は、1つの熱交換器（10）のみからなる構成にしてもよい。その場合、熱交換器の台数や大きさは、求められる熱交換器の能力に応じて定めればよい。
【００５４】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【００５５】
以上説明したように、本開示は、空気調和装置の室外機について有用である。
【符号の説明】
【００５６】
1    室外機
10    熱交換器
20    ケーシング
22    底板
22a   山部
22b   谷部
30    据付脚
33    支持部
34    壁部
35    載置部
35a   水抜き孔
C    隙間
【図１】
2019132543.tif 000003
【図２】
2019132543.tif 000004
【図３】
2019132543.tif 000005
【図４】
2019132543.tif 000006
【手続補正書】
【提出日】平成31年3月28日(2019.3.28)
【手続補正１】
【補正対象書類名】明細書
【補正対象項目名】全文
【補正方法】変更
【補正の内容】
【発明の詳細な説明】
【技術分野】
【０００１】
本開示は、空気調和装置の室外機に関するものである。
【背景技術】
【０００２】
従来より、空気調和装置の室外機において、熱交換器から底フレームに流れた水を、据付脚の支持部の上方に形成された排水路を通って排水するようにした構成が知られている（例えば、特許文献１参照）。
【先行技術文献】
【特許文献】
【０００３】
【特許文献１】特開２０１７−１９４２２９号公報
【発明の概要】
【発明が解決しようとする課題】
【０００４】
ところで、外気温が氷点下の場合に、熱交換器から流れた水が金属製の据付脚に長時間接触していると、水が氷結して排水路の一部を塞いでしまい、排水性が悪化するおそれがある。
【０００５】
本開示の目的は、熱交換器から流れた水が氷結するのを抑え、排水性能を向上させることにある。
【課題を解決するための手段】
【０００６】
本開示の第１の態様は、ケーシング（20）内に熱交換器（10）が設けられる空気調和装置の室外機を対象とする。そして、前記ケーシング（20）の底面を形成する底板（22）と、前記底板（22）を下方から支える据付脚（30）とを備え、前記据付脚（30）は、前記底板（22）の端部を下方から支える支持部（33）と、該底板（22）の端部の外側に位置して該支持部（33）から上方に延びる壁部（34）と、該壁部（34）の上端から延びて前記熱交換器（10）が載置される載置部（35）とを有する。
【０００７】
第１の態様では、底板（22）の下方を支える据付脚（30）に、熱交換器（10）の一部が載置される載置部（35）が設けられている。これにより、熱交換器（10）の熱が載置部（35）に伝わって据付脚（30）が温められるので、熱交換器（10）から据付脚（30）に流れた水が氷結するのを抑えることができる。
【０００８】
本開示の第２の態様は、第１の態様において、前記載置部（35）には、上下方向に貫通する孔（35a）が形成されているものである。
【０００９】
第２の態様では、載置部（35）に孔（35a）が形成されているので、熱交換器（10）から据付脚（30）の載置部（35）に流れた水が、孔（35a）から排水される。
【００１０】
本開示の第３の態様は、第１又は第２の態様において、前記据付脚（30）における前記熱交換器（10）の載置面は、前記底板（22）の上面と略面一であり、前記熱交換器（10）は、前記底板（22）と前記据付脚（30）とに跨がって載置されているものである。
【００１１】
第３の態様では、据付脚（30）の熱交換器（10）の載置面と底板（22）の上面とが略面一となっている。そして、底板（22）と据付脚（30）とに跨がって熱交換器（10）が載置されている。
【００１２】
本開示の第４の態様は、第３の態様において、前記底板（22）の端縁と前記据付脚（30）の載置面の端縁との間には、所定の隙間（C）が設けられている。
【００１３】
第４の態様では、底板（22）の端縁と据付脚（30）の載置面の端縁との間に隙間（C）が設けられているので、熱交換器（10）から流れた水が、この隙間（C）から排水される。
【００１４】
本開示の第５の態様は、第１乃至第４の態様のうち何れか１つにおいて、前記底板（22）は、前後方向又は左右方向にわたる山部（22a）と谷部（22b）とが形成された波板状の部材で構成され、前記支持部（33）は、前記底板（22）の前記山部（22a）及び前記谷部（22b）が見える側の端部を下方から支えている。
【００１５】
第５の態様では、据付脚（30）は、支持部（33）と、壁部（34）と、載置部（35）とを有する。支持部（33）は、底板（22）の山部（22a）及び谷部（22b）が見える側の端部を下方から支えている。壁部（34）は、底板（22）の端部の外側に位置している。熱交換器（10）から流れる水が、壁部（34）、支持部（33）、底板（22）の山部（22a）によって区画される排水路から排水される。
【００１６】
本開示の第６の態様は、第１乃至第５の態様のうち何れか１つにおいて、前記載置部（35）と前記熱交換器（10）との間には、弾性部材（37）が配置されている。
【００１７】
第６の態様では、載置部（35）と熱交換器（10）との間に弾性部材（37）が配置される。
【００１８】
本開示の第７の態様は、第６の態様において、前記載置部（35）には、上下方向に貫通する孔（35a）が形成され、前記弾性部材（37）には、平面視で前記載置部（35）の孔（35a）と重なる位置において上下方向に貫通する孔（38）が形成されている。
【００１９】
第７の態様では、載置部（35）の孔（35a）と弾性部材（37）の孔（38）とは、平面視で重なる位置に形成されている。
【００２０】
本開示の第８の態様は、ケーシング（20）内に熱交換器（10）が設けられる空気調和装置の室外機を対象とする。そして、前記ケーシング（20）の底面を形成する底板（22）と、前記底板（22）を下方から支える据付脚（30）とを備え、前記据付脚（30）には、前記熱交換器（10）の一部が載置され、前記据付脚（30）における前記熱交換器（10）の載置面は、前記底板（22）の上面と略面一であり、前記熱交換器（10）は、前記底板（22）と前記据付脚（30）とに跨がって載置されている。
【００２１】
第８の態様では、据付脚（30）の熱交換器（10）の載置面と底板（22）の上面とが略面一となっている。そして、底板（22）と据付脚（30）とに跨がって熱交換器（10）が載置されている。
【図面の簡単な説明】
【００２２】
【図１】図１は、実施形態の室外機を背面側から見た斜視図である。
【図２】図２は、ベース部材の構成を示す平面図である。
【図３】図３は、底板及び据付脚の構成を示す斜視図である。
【図４】図４は、図２のIV-IV矢視断面図である。
【発明を実施するための形態】
【００２３】
実施形態について説明する。
【００２４】
この実施形態は、空気調和装置の室外機（1）に関するものである。この空気調和装置は、例えば１台の室外機（1）に複数台の室内機（図示せず）が連絡配管で接続されて構成されるマルチタイプの空気調和装置である。この空気調和装置の室外機（1）は、例えば、複数台が屋外に並べて設置され、それぞれに複数台の室内機が接続される。
【００２５】
本実施形態の室外機（1）が設けられる空気調和装置は、例えばオフィス等の室内空間の冷房と暖房を行う。なお、空気調和装置が空気調和を行う対象空間は、オフィスや住宅などの居室内空間に限られず、物品を保管する倉庫内の空間や、物品を取り扱う作業用空間（例えば、クリーンルーム）などであってもよい。
【００２６】
〈室外機の全体構造〉
室外機（1）の構成について説明する。なお、以下の説明において、「上」、「下」、「左」、「右」、「前」及び「後」、は、特にことわりのない限り、図１に記載された方向を意味する。
【００２７】
図１に示すように、室外機（1）は、正面側から見て右側に位置する第１ユニット（1A）と左側に位置する第２ユニット（1B）とを備え、第１ユニット（1A）と第２ユニット（1B）が一体的に構成されている。
【００２８】
室外機（1）は、縦型直方体のケーシング（20）を備え、このケーシング（20）の内部に冷媒回路の構成部品が収容されている。ケーシング（20）は、ベース部材（21）と、支柱（23）と、ファンモジュール（25）とを備え、これらが組み合わされて構成されている。
【００２９】
ベース部材（21）は、ケーシング（20）の底部を形成している。ベース部材（21）は、長方形状の底板（22）と、底板（22）の前縁部及び後縁部に固定されて底板（22）を下方から支える長尺の据付脚（30）と、底板（22）の左右の側縁部に固定されたサイドステー（40）とを有する。ベース部材（21）の四隅には、４本の支柱（23）が上下方向に延びている。なお、ベース部材（21）の詳細については後述する。
【００３０】
ファンモジュール（25）は、ケーシング（20）の上部を形成している。ファンモジュール（25）は、支柱（23）の上側に位置している。ファンモジュール（25）は、上面、下面及び前面が開口した略直方体形状の箱体に左右一対のファン（26）やベルマウス（27）が収容された集合体である。ファンモジュール（25）は、上面の開口に吹出グリル（28）を備えている。
【００３１】
ファンモジュール（25）には、空気を上向きに吹き出すように、回転の中心軸が上下方向に延びるファン（26）が収容されている。図示していないが、ファン（26）の下方にはファンモータが設けられている。ファン（26）を回転させると、ケーシング（20）の外部から熱交換器（10）を通って空気がケーシング（20）内に吸い込まれ、吸い込まれた空気がファン（26）によってファンモジュール（25）から上向きに吹き出される。
【００３２】
ケーシング（20）の前面は、図示しない前面パネルによって覆われている。前面パネルは、据付脚（30）からファンモジュール（25）の上端にわたって設けられている。
【００３３】
図２に示すように、室外機（1）には、圧縮機（3）、熱交換器（10）、室外膨張弁（図示せず）、アキュムレータ（4）、オイルセパレータ（5）などの冷媒回路の構成機器と、冷媒回路を制御するための電子部品が収容された制御機器（電装品ボックス（6））などの部品が設けられている。なお、室内機には、室内膨張弁、室内熱交換器などの機器が設けられる。
【００３４】
熱交換器（10）は、ケーシング（20）に設けられている。熱交換器（10）は、第１ユニット（1A）に設けられる第１熱交換器（10a）と、第２ユニット（1B）に設けられる第２熱交換器（10b）とを含んでいる。各熱交換器（10）は、板状の３面の熱交換部（11）と、各熱交換部（11）の間の折り曲げ部（12）とを有し、平面視がＵ字状に形成されている。
【００３５】
熱交換器（10）は、詳細は省略するが、互いに平行に配置されて水平方向にのびる複数の扁平管の端部がヘッダ集合管に接続された熱交換器であり、扁平管には多数のフィンが小さなピッチで取り付けられている。各熱交換器（10）は、扁平管が２列に配列された複数列型の熱交換器である。
【００３６】
〈ベース部材〉
ベース部材（21）は、底板（22）と、据付脚（30）と、サイドステー（40）とを有する。底板（22）は、室外機（1）の左右方向に山部（22a）と谷部（22b）とが交互に形成された波板状の部材で形成されている。
【００３７】
図３及び図４に示すように、谷部（22b）は、底板（22）のうち最も下方の略平坦な面をなす部分である。谷部（22b）における熱交換器（10）寄りの位置には、水抜き孔（22c）が形成されている。これにより、熱交換器（10）から流れた水が最も溜まりやすい谷部（22b）から、水抜き孔（22c）を介して水を排水できるようにしている。
【００３８】
山部（22a）は、谷部（22b）から上方に突出した部分であり、谷部（22b）から上方に向かう傾斜面をなす部分と、傾斜面をなす部分に連続して谷部（22b）よりも上方に位置する略平坦な面をなす部分とを含む。
【００３９】
据付脚（30）は、設置面に固定される固定部（31）と、固定部（31）の前後方向の一方側の端部から上方に延びる立設部（32）と、底板（22）の山部（22a）及び谷部（22b）が見える側（ここでは、前後方向）の端部を下方から支える支持部（33）と、底板（22）の前端部及び後端部の外側に位置して支持部（33）から上方に延びる壁部（34）と、壁部（34）の上端から外側に延びて熱交換器（10）が載置される載置部（35）と、載置部（35）の外側の端縁から上方に延びる端縁部（36）とを有する。
【００４０】
支持部（33）には、底板（22）の谷部（22b）が載置されている。支持部（33）に載置された底板（22）の端縁と据付脚（30）の載置部（35）の内側の端縁との間には、所定の隙間（C）が設けられている。この隙間（C）により、底板（22）の山部（22a）に付着した水を支持部（33）へ流すための排水路が形成される。
【００４１】
ここで、支持部（33）は、底板（22）の谷部（22b）に接して据付脚（30）を下方から支えているが、底板（22）の山部（22a）との間には空間が形成されている。そして、この空間が隙間（C）と連通しているため、隙間（C）が排水路として機能するようになっている。
【００４２】
そして、隙間（C）を通じて支持部（33）まで導かれた水は、底板（22）の山部（22a）と支持部（33）との空間を通じて底板（22）の下方に流れ落ちるため、ケーシング（20）の外側に流出し難くなっている。
【００４３】
据付脚（30）の載置部（35）には、上下方向に貫通する水抜き孔（35a）が、左右方向に間隔をあけて複数形成されている。据付脚（30）の載置部（35）の上面は、支持部（33）に載置された底板（22）の山部（22a）の上面と略面一になっている。そして、底板（22）の山部（22a）と据付脚（30）の載置部（35）とに跨がって、弾性部材（37）が配置されている。
【００４４】
弾性部材（37）は、例えば、ゴム材で形成されており、平面視で底板（22）の谷部（22b）に対応する部分が切り欠かれた形状となっている。弾性部材（37）における載置部（35）に対応する位置には、貫通孔（38）が形成されている。
【００４５】
熱交換器（10）は、弾性部材（37）を介して、底板（22）の山部（22a）と据付脚（30）の載置部（35）とに跨がって載置されている。
【００４６】
ところで、室外機（1）では、暖房運転中に熱交換器（10）に霜が付着する。付着した霜を溶かすために除霜運転を行うと、霜が溶けてできた水が熱交換器（10）から流れ落ちる。ここで、熱交換器（10）は、据付脚（30）の載置部（35）に載置されているので、熱交換器（10）の熱が据付脚（30）に伝わって据付脚（30）が温められることとなる。これにより、熱交換器（10）から据付脚（30）に流れた水が氷結するのを抑えることができる。
【００４７】
また、図３及び図４において、仮想矢印線によって水の流れを示しているが、熱交換器（10）から流れた水は、据付脚（30）の載置部（35）に形成されている水抜き孔（35a）と、底板（22）の谷部（22b）に形成されている水抜き孔（22c）と、隙間（C）に連通するとともに据付脚（30）の壁部（34）、支持部（33）、及び底板（22）の山部（22a）によって区画される排水路とから、ケーシング（20）外部に排水される。
【００４８】
サイドステー（40）は、一対の据付脚（30）の左右方向の両端部に架け渡されて配置されている。サイドステー（40）は、ケーシング（20）の底面を構成して熱交換器（10）が載置される載置部（41）と、載置部（41）の外側の縁に沿って上方に延びる外壁部（42）とを有する。サイドステー（40）の前後方向の両端部は、支柱（23）に連結されている。
【００４９】
図２に示すように、右側のサイドステー（40）の載置部（41）には、弾性部材（43）を介して、第１熱交換器（10a）の右側の熱交換部（11）が載置されている。右側のサイドステー（40）の載置部（41）には、前後方向に延びる長孔状の水抜き孔（45）が前後方向に複数並んで形成されている。
【００５０】
左側のサイドステー（40）の載置部（41）には、第２熱交換器（10b）の左側の熱交換部（11）が載置されている。左側のサイドステー（40）の載置部（41）には、前後方向に延びる長孔状の水抜き孔（45）が前後方向に複数並んで形成されている。
【００５１】
これにより、熱交換器（10）から流れた水は、サイドステー（40）の載置部（41）に形成された水抜き孔（45）から排水される。
【００５２】
−実施形態の効果−
本実施形態の空気調和装置の室外機（1）は、ケーシング（20）内に熱交換器（10）が設けられている。そして、ケーシング（20）の底面を形成する底板（22）と、底板（22）を下方から支える据付脚（30）とを備え、据付脚（30）は、底板（22）の端部を下方から支える支持部（33）と、底板（22）の端部の外側に位置して支持部（33）から上方に延びる壁部（34）と、壁部（34）の上端から延びて熱交換器（10）が載置される載置部（35）とを有する。
【００５３】
本実施形態では、底板（22）の下方を支える据付脚（30）に、熱交換器（10）の一部が載置される載置部（35）が設けられている。これにより、熱交換器（10）の熱が載置部（35）に伝わって据付脚（30）が温められるので、熱交換器（10）から据付脚（30）に流れた水が氷結するのを抑えることができ、水の排水性が向上する。
【００５４】
また、本実施形態の空気調和装置の室外機（1）において、載置部（35）には、上下方向に貫通する水抜き孔（35a）が形成されている。
【００５５】
本実施形態では、載置部（35）に水抜き孔（35a）が形成されているので、熱交換器（10）から据付脚（30）の載置部（35）に流れた水を、水抜き孔（35a）から排水することができる。
【００５６】
また、本実施形態の空気調和装置の室外機（1）において、据付脚（30）における熱交換器（10）の載置面は、底板（22）の上面と略面一であり、熱交換器（10）は、底板（22）と据付脚（30）とに跨がって載置されている。
【００５７】
本実施形態では、据付脚（30）の熱交換器（10）の載置面と底板（22）の上面とが略面一となっている。そして、底板（22）と据付脚（30）とに跨がって熱交換器（10）が載置されている。
【００５８】
また、本実施形態の空気調和装置の室外機（1）において、底板（22）の端縁と据付脚（30）の載置面の端縁との間には、所定の隙間（C）が設けられている。
【００５９】
本実施形態では、底板（22）の端縁と据付脚（30）の載置面の端縁との間に隙間（C）が設けられているので、熱交換器（10）から流れた水が、この隙間（C）から排水される。
【００６０】
また、本実施形態の空気調和装置の室外機（1）において、底板（22）は、前後方向又は左右方向にわたる山部（22a）と谷部（22b）とが形成された波板状の部材で構成され、支持部（33）は、底板（22）の山部（22a）及び谷部（22b）が見える側の端部を下方から支えている。
【００６１】
本実施形態では、据付脚（30）は、支持部（33）と、壁部（34）と、載置部（35）とを有する。支持部（33）は、底板（22）の山部（22a）及び谷部（22b）が見える側の端部を下方から支えている。壁部（34）は、底板（22）の端部の外側に位置している。これにより、載置部（35）に載置された熱交換器（10）から流れる水を、壁部（34）、支持部（33）、底板（22）の山部（22a）によって区画される排水路から排水することができる。
【００６２】
本実施形態の空気調和装置の室外機（1）において、載置部（35）と熱交換器（10）との間には、弾性部材（37）が配置されている。
【００６３】
本実施形態では、載置部（35）と熱交換器（10）との間に弾性部材（37）が配置される。
【００６４】
本実施形態の空気調和装置の室外機（1）において、載置部（35）には、上下方向に貫通する孔（35a）が形成され、弾性部材（37）には、平面視で載置部（35）の孔（35a）と重なる位置において上下方向に貫通する孔（38）が形成されている。
【００６５】
本実施形態では、載置部（35）の孔（35a）と弾性部材（37）の孔（38）とは、平面視で重なる位置に形成されている。
【００６６】
本実施形態の空気調和装置の室外機（1）は、ケーシング（20）内に熱交換器（10）が設けられている。そして、前記ケーシング（20）の底面を形成する底板（22）と、前記底板（22）を下方から支える据付脚（30）とを備え、前記据付脚（30）には、前記熱交換器（10）の一部が載置され、前記据付脚（30）における前記熱交換器（10）の載置面は、前記底板（22）の上面と略面一であり、前記熱交換器（10）は、前記底板（22）と前記据付脚（30）とに跨がって載置されている。
【００６７】
本実施形態では、据付脚（30）の熱交換器（10）の載置面と底板（22）の上面とが略面一となっている。そして、底板（22）と据付脚（30）とに跨がって熱交換器（10）が載置されている。
【００６８】
《その他の実施形態》
前記実施形態については、以下のような構成としてもよい。
【００６９】
−変形例−
前記実施形態では、左右に配置された第１ユニット（1A）と第２ユニット（1B）とが一体になった室外機（1）について説明したが、本開示の室外機（1）は１つのユニットのみからなるものであってもよい。つまり、前記実施形態では、室外機（1）を２つの熱交換器（10a，10b）が設けられた構成としているが、室外機（1）は、1つの熱交換器（10）のみからなる構成にしてもよい。その場合、熱交換器の台数や大きさは、求められる熱交換器の能力に応じて定めればよい。
【００７０】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【００７１】
以上説明したように、本開示は、空気調和装置の室外機について有用である。
【符号の説明】
【００７２】
1    室外機
10    熱交換器
20    ケーシング
22    底板
22a   山部
22b   谷部
30    据付脚
33    支持部
34    壁部
35    載置部
35a   水抜き孔
37    弾性部材
38    貫通孔
C    隙間
【手続補正２】
【補正対象書類名】特許請求の範囲
【補正対象項目名】全文
【補正方法】変更
【補正の内容】
【特許請求の範囲】
【請求項１】
ケーシング（20）内に熱交換器（10）が設けられる空気調和装置の室外機であって、
前記ケーシング（20）の底面を形成する底板（22）と、
前記底板（22）を下方から支える据付脚（30）とを備え、
前記据付脚（30）は、前記底板（22）の端部を下方から支える支持部（33）と、該底板（22）の端部の外側に位置して該支持部（33）から上方に延びる壁部（34）と、該壁部（34）の上端から延びて前記熱交換器（10）が載置される載置部（35）とを有することを特徴とする空気調和装置の室外機。
【請求項２】
請求項１において、
前記載置部（35）には、上下方向に貫通する孔（35a）が形成されていることを特徴とする空気調和装置の室外機。
【請求項３】
請求項１又は２において、
前記据付脚（30）における前記熱交換器（10）の載置面は、前記底板（22）の上面と略面一であり、
前記熱交換器（10）は、前記底板（22）と前記据付脚（30）とに跨がって載置されていることを特徴とする空気調和装置の室外機。
【請求項４】
請求項３において、
前記底板（22）の端縁と前記据付脚（30）の載置面の端縁との間には、所定の隙間（C）が設けられていることを特徴とする空気調和装置の室外機。
【請求項５】
請求項１乃至４のうち何れか１つにおいて、
前記底板（22）は、前後方向又は左右方向にわたる山部（22a）と谷部（22b）とが形成された波板状の部材で構成され、
前記支持部（33）は、前記底板（22）の前記山部（22a）及び前記谷部（22b）が見える側の端部を下方から支えていることを特徴とする空気調和装置の室外機。
【請求項６】
請求項１乃至５のうち何れか１つにおいて、
前記載置部（35）と前記熱交換器（10）との間には、弾性部材（37）が配置されていることを特徴とする空気調和装置の室外機。
【請求項７】
請求項６において、
前記載置部（35）には、上下方向に貫通する孔（35a）が形成され、
前記弾性部材（37）には、平面視で前記載置部（35）の孔（35a）と重なる位置において上下方向に貫通する孔（38）が形成されていることを特徴とする空気調和装置の室外機。
【請求項８】
ケーシング（20）内に熱交換器（10）が設けられる空気調和装置の室外機であって、
前記ケーシング（20）の底面を形成する底板（22）と、
前記底板（22）を下方から支える据付脚（30）とを備え、
前記据付脚（30）には、前記熱交換器（10）の一部が載置され、
前記据付脚（30）における前記熱交換器（10）の載置面は、前記底板（22）の上面と略面一であり、
前記熱交換器（10）は、前記底板（22）と前記据付脚（30）とに跨がって載置されていることを特徴とする空気調和装置の室外機。